(57)【要約】【課題】電槽と蓋部との接合部の剥がれやクラックの発生を回避し、設置性に優れた制御弁式蓄電池を提供する。【解決手段】電槽１１の側面２２に蓋部１２より外側に突出し、自重を支えるに足る強度を有したリブ３１を備えるようにした。【選択図】図１
2010277847.tif 000002
【特許請求の範囲】
【請求項１】
電槽の側面に蓋部より外側に突出し、自重を支えるに足る強度を有したリブを備えたことを特徴とする制御弁式蓄電池。
【請求項２】
前記リブが電槽と蓋部との接合部に沿って延在することを特徴とする請求項１に記載の制御弁式蓄電池。
【請求項３】
電槽の側面の蓋部近傍に該電槽を架台に固定するためのリブを備えたことを特徴とする制御弁式蓄電池。
【発明の詳細な説明】
【技術分野】
【０００１】
本発明は、制御弁式蓄電池に関する。
【背景技術】
【０００２】
制御弁式蓄電池は、寝かせても電解液が漏れないことから、電槽に接合される蓋部を上側にした正立状態で設置する以外に、電槽の側面を下側にした横置き状態でも用いることができる（例えば、特許文献１参照）。
【先行技術文献】
【特許文献】
【０００３】
【特許文献１】特開２００１−１５０９０号公報
【発明の概要】
【発明が解決しようとする課題】
【０００４】
しかし、この種の蓄電池は、電槽に蓋部を接合（接着または融着）した構成であるため、この接合部が最も強度的に弱くなっている。更に、この部分は電槽と蓋を成形金型から抜いたときのテーパーの突き合わせとなるので、ほかの箇所より突出してしまう。このため、横置きすると最も弱い「接合部」に荷重を集中させてしまうことになり、接合部の剥がれやクラックが生じる恐れがある。
【０００５】
また、この種の蓄電池を、横並びかつ多段で蓄電池収納架台に設置して大容量の据置型蓄電池を構成する場合がある。ここで、図１２（Ａ）（Ｂ）は大容量の据置型蓄電池の正面図および側面図を各々示しており、符号１は蓄電池、符合２は電槽、符合３は蓋部、符号４は蓄電池収納架台、符号５は、蓄電池１の飛び出しを抑える上下一対の飛び出し防止金具である。
このように大容量の据置型蓄電池を構成する場合には、地震等の振動で蓄電池同士がぶつかって接合部の剥がれやクラックが生じる事態を避けるべく、図１３（Ａ）（Ｂ）に示すように、蓄電池１を一定の間隔を空けて横並びに配置し、その隙間にスペーサ６を挿入していた。ここで、図１３（Ａ）は蓄電池１を正立状態で横並びに配置する場合を示し、図１３（Ｂ）は蓄電池１を横置きで横並びに配置する場合を示している。
【０００６】
しかし、据置用蓄電池には、蓄電池１を数百個単位で用いる場合があり、蓄電池１毎に間隔を空けてスペーサ６を入れる作業に時間と手間がかかってしまい、また、スペーサ６が長期的にはずれて脱落してしまうおそれもある。
そこで、本発明の目的は、電槽と蓋部との接合部の剥がれやクラックの発生を回避し、設置性に優れた制御弁式蓄電池を提供することにある。
【課題を解決するための手段】
【０００７】
上記目的を達成するために、本発明は、電槽の側面に蓋部より外側に突出し、自重を支えるに足る強度を有したリブを備えたことを特徴とする。この構成によれば、電槽の側面に蓋部より外側に突出し、自重を支えるに足る強度を有したリブを備えるので、蓄電池の側面に作用する外力をリブ全体で受けて電槽と蓋部との接合部への応力集中を避けることができる。従って、接合部の剥がれやクラックの発生を回避でき、設置工事や保守点検を容易に行うことができる。
【０００８】
上記構成において、前記リブが電槽と蓋部との接合部に沿って延在するようにしてもよい。この構成によれば、リブが電槽と蓋部との接合部に沿って延在するので、接合部への応力集中を避けると共に接合部を効率よく補強できる。
【０００９】
また、本発明は、電槽の側面の蓋部近傍に該電槽を架台に固定するためのリブを備えたことを特徴とする。電槽の側面の蓋部近傍に該電槽を架台に固定するためのリブを備えれば、蓄電池の側面に作用する外力をリブ全体で受けて電槽と蓋部との接合部への応力集中を避け、接合部の剥がれやクラックの発生を回避できる。また、このリブにより電槽を架台に固定するので、飛び出し防止金具を用いることなく、蓄電池を容易に固定することができ、設置工事や保守点検を容易に行うことができる。
【発明の効果】
【００１０】
本発明は、電槽と蓋部との接合部の剥がれやクラックの発生を回避し、設置性に優れた制御弁式蓄電池を提供することができる。
【図面の簡単な説明】
【００１１】
【図１】本発明の第１実施形態に係る制御弁式蓄電池を正立状態で示す斜視図である。
【図２】図１の側面図である。
【図３】電槽と蓋部との接合部を周辺構成と共に示す図である。
【図４】制御弁式蓄電池を正立状態で横並びに配置した図である。
【図５】制御弁式蓄電池を横置きで横並びに配置した図である。
【図６】蓄電池を飛び出し防止金具と共に周辺構成を示す側面図である。
【図７】従来の制御弁式蓄電池飛び出し防止構造の参考例を示す図である。
【図８】本発明の第２実施形態に係る制御弁式蓄電池を正立状態で示す斜視図である。
【図９】制御弁式蓄電池を横置きで蓄電池収納架台に配置した場合の側面図である。
【図１０】変形例に係る制御弁式蓄電池を示す図である。
【図１１】変形例に係る制御弁式蓄電池を示す図である。
【図１２】（Ａ）は大容量の据置型蓄電池の正面図であり、（Ｂ）はその側面図である。
【図１３】（Ａ）は蓄電池を正立状態で横並びに配置する場合を説明する図であり、（Ｂ）は蓄電池を横置きで横並びに配置する場合を説明する図である。
【発明を実施するための形態】
【００１２】
以下、図面を参照して本発明の一実施の形態について説明する。
＜第１実施形態＞
図１は、本発明の第１実施形態に係る制御弁式蓄電池を正立状態で示す斜視図であり、図２は、その側面図である。
この制御弁式蓄電池１０は、ＵＰＳ（無停電電源装置）等に用いられる据置型の鉛蓄電池であり、合成樹脂製（本例ではＡＢＳ樹脂製）の電槽１１と、この電槽１１に接合される合成樹脂製（本例ではＡＢＳ樹脂製）の蓋部１２とを備えている。
電槽１１は、上部に開口部を有する箱形状を有し、この電槽１１内には、基板に活物質ペーストが充填された正極板と負極板とを、微細ガラス繊維を主体としたマット状セパレーターを介して交互に積層した極板群が収納され、この極板群に電解液が含浸される。
【００１３】
蓋部１２は、電槽１１の開口部を覆う蓋形状を有し、端子取り付け面となる上面には、上方に突出する金属板状の正極端子１３Ａおよび負極端子１３Ｂと、制御弁１４とが設けられる。制御弁１４は、電槽１１内に電解液を注液する開口部を覆うように取り付けられ、通常は、蓄電池１０内部の気密を保つために閉じており、充電時等に蓄電池１０の内圧が上昇したときは開いて圧を逃がすものである。
なお、この制御弁式蓄電池１０は、比較的大容量のものであるため、端子部を構成する正極端子１３Ａおよび負極端子１３Ｂを２個ずつ有しているが、端子数は容量に応じて変更されるものであり、例えば、小容量の場合は各端子１３Ａ、１３Ｂは一個ずつとされる。
【００１４】
電槽１１は、箱体を構成する電槽本体２１と、電槽本体２１の側面（側壁）２２に一体に設けられ、蓋部１２より外側に突出するリブ３１とを備えている。
図３は、電槽１１と蓋部１２との接合部１５を周辺構成と共に示す図である。
電槽本体２１の上面２１Ａは、蓋部１２が接合される接合面を構成し、この接合面には、この電槽本体２１の外縁に沿って延在する凹部２１Ｂが設けられている。また、蓋部１２の外縁に沿った下面１２Ａは、電槽本体２１が接合される接合面を構成し、この接合面には、蓋部１２の外縁に沿って延在して上記凹部２１Ｂに嵌合する下方凸部１２Ｂが設けられている。
電槽１１に蓋部１２を接合する場合には、蓋部１２の下方凸部１２Ｂを電槽本体２１の凹部２１Ｂに嵌めることで接合位置を容易に位置決めでき、かつ、この位置決めの状態で、接着剤により電槽１１と蓋部１２とを接合することにより、接合強度を十分に確保できる。
【００１５】
この電槽１１と蓋部１２とは各々樹脂成形により形成される。この樹脂成形を行う場合に、電槽１１と蓋部１２との接合部１５は、電槽１１と蓋部１２のそれぞれを成形金型から抜くときのテーパーの突き合わせ部分になっている。
すなわち、図３に示すように、電槽本体２１の接合部１５近傍部分は、電槽本体の下方に行くほど小さくなるように抜き勾配ＴＰ１が付されており、電槽本体２１の下方に向けて成形金型を抜きやすくしている。
また、蓋部１２の接合部１５にも、蓋部１２の上方に行くほど小さくなるように抜き勾配ＴＰ２が付されており、蓋部１２の上方に向けて成形金型を抜きやすくしている。
【００１６】
図１および図２に示すように、リブ３１は、電槽１１の深さ方向に延びる複数本の縦リブ３２と、電槽１１の蓋部１２近傍で接合部１５に沿って延在する横リブ３３とを備えており、完成体の蓄電池１０の自重を支えるに足る十分な強度を有したリブに形成される。
縦リブ３２の各々は、電槽本体２１の上面２１Ａから底面２３の間に渡って一直線状に所定の幅を持って延在し、接合部１５の周囲に沿って所定の間隔を空けて設けられる。
詳述すると、縦リブ３２は、図２に示すように、比較的広い間隔に設定された第１間隔Ｌ１と、この第１間隔Ｌ１よりも狭い間隔に設定された第２間隔Ｌ２とを交互に繰り返し、どの側面２２にも複数本の縦リブ３２が存在するように設けられる。本実施形態では、電槽本体２１が上面視で長方形形状であり、その短辺に相当する側面２２Ａには４本の縦リブ３２が設けられ、長辺に相当する側面２２Ｂには６本の縦リブ３２が設けられる。
【００１７】
また、縦リブ３２は、電槽本体２１の対向する側面２２同士（側面２２Ａ同士、側面２２Ｂ同士）で同じ位置に設けられており、つまり、対向する側面２２間の中心面を基準にした対称位置に設けられている。このため、複数の電槽１１を正立状態、或いは、横置きのいずれの状態でも、横並びに配置した場合に、隣接する電槽１１間の縦リブ３２の全てが互いに対向するようになっている。
これらの縦リブ３２は、蓋部１２よりも外側に突出するリブ高さを有し、電槽本体２１の側面２２のうち抜き勾配ＴＰ１を除く部分が等高リブであり、抜き勾配ＴＰ１の部分は、等高リブの端面をそのまま垂直上方向に延在させるように抜き勾配ＴＰ１の傾斜を相殺し、縦リブの端面が垂直面に形成される。
【００１８】
すなわち、本実施形態では、各側面２２に電槽本体２１の長手方向全体に渡って延びる複数本の縦リブ３２を形成し、かつ、これら縦リブ３２の端面を側面２２毎に同一平面上に揃えている。このため、側面２２に向けて外力が加わった場合には、縦リブ３２全体で応力を受けることができる。
この場合、各縦リブ３２が電槽本体２１の長手方向全体に渡って延びるので、縦リブ３２の断面積を広く確保することができ、断面積を広く確保できる分、縦リブ３２に作用する応力を小さくすることができ、蓄電池１０の自重を支えるに足る十分な強度を容易に得ることができる。
また、これら縦リブ３２により、電槽本体２１の上面２１Ａから底面２３に至る強度を効率よく補強することができる。
【００１９】
横リブ３３は、電槽本体２１の上面２１Ａに沿って所定の間隔を空けて延在するように設けられる。より具体的には、横リブ３３は、縦リブ３２の配置間隔が長い方の第１間隔Ｌ１を所定の幅を持って横断するように設けられて縦リブ３２と一体的につながるリブとされている。また、この横リブ３３の端面は、縦リブ３２の端面と同一平面に揃うようになっている。
このため、側面２２に向けて外力が加わった場合には、その側面２２に設けられた縦リブ３２と横リブ３３の両方で応力を受けることができ、その分、各リブ３２、３３に作用する応力が小さくなるので、蓄電池１０の自重を支えるに足る十分な強度を有するリブを容易に設けることができる。
【００２０】
しかも、この横リブ３３は、電槽本体２１の接合部１５に沿って延びるので、この接合部１５を補強することができる。本実施形態では、電槽１１の接合部１５近傍には、図３に示すように、蓋部１２の下方凸部１２Ｂが嵌合する凹部２１Ｂが設けられるので、電槽本体２１においては凹部２１Ｂの部分が強度が低い部分となる。本実施形態では、この凹部２１Ｂの側方に横リブ３３を設けるので、凹部２１Ｂの部分の強度低下を横リブ３３で回避することができる。
本実施形態の横リブ３３は、図３に示すように、側断面視で、凹部２１Ｂ全体をカバーする幅に形成されており、これによって、凹部２１Ｂの部分全体の強度を向上することができる。
【００２１】
さらに、本実施形態では、縦リブ３２の配置間隔が短い第２間隔Ｌ２には横リブ３３が存在しないようにすることで、縦リブ３２の第２間隔Ｌ２内の空気を上下に抜き易くしている。このため、蓄電池１０の熱を外気に効率よく放熱することができる。
なお、縦リブ３２の配置間隔が長い第１間隔Ｌ１には、上側だけに横リブ３３が存在し、下側は解放する。このため、縦リブ３２の第１間隔Ｌ１内の空気は下側から流入、流出することで蓄電池１０の熱を放出する。
【００２２】
次に、この制御弁式蓄電池１０を多数配置して大容量の据置型蓄電池を構成する場合を説明する。
図４は、制御弁式蓄電池１０を正立状態で横並びに配置した状態を示している。なお、図中、符号４１は、蓄電池収納架台４０の一部を構成する棚板（台部材）である。
制御弁式蓄電池１０を正立状態で横並びに配置する場合、蓄電池１０の底面２３が棚板４１に載置され、この蓄電池１０のいずれかの側面２２側（本例では２２Ｂ側）に隣接する蓄電池１０が配置されることになる。
上述したように、本実施形態の蓄電池１０の側面２２には、蓋部１２より外側に突出する縦リブ３２および横リブ３３が設けられているので、隣り合う蓄電池１０の縦リブ３２同士および横リブ３３同士をつきあわせて配置することで、蓄電池１０の接合部１５を間隔を空けて配置できる。
【００２３】
この場合、隣り合う蓄電池１０の接合部１５を間隔を空けて配置するために従来必要としていたスペーサが不要になり、蓄電池１０の配置作業を容易にできる。
しかも、縦リブ３２および横リブ３３が、蓄電池１０の自重を支えるに足る十分な強度を有したリブに形成されているので、地震等の影響で蓄電池１０に隣の蓄電池１０からの外力が作用した場合、その外力を蓄電池１０の左右側に位置するリブ３２、３３全体で受けることができる。このため、蓄電池１０の接合部１５への応力集中を避けることができ、接合部１５の剥がれやクラックの発生を回避できる。
【００２４】
図５は、制御弁式蓄電池１０を横置きで横並びに配置した状態を示している。
この場合には、制御弁式蓄電池１０のいずれか１つの側面２２が下側となるため、この下側に設けられた縦リブ３２および横リブ３３が棚板４１に載置される。この場合も、蓄電池１０のいずれかの側面２２側（本例では２２Ｂ側）に隣接する蓄電池１０が配置されることになる。
上述したように、各側面２２に設けられる縦リブ３２および横リブ３３は、蓄電池１０の自重を支えるに足る十分な強度を有したリブに形成されているので、制御弁式蓄電池１０の下側に位置する側面２２の縦リブ３２および横リブ３３は、蓄電池１０を十分に支えることができ、蓄電池１０の接合部１５を浮かした状態で支持する足部として機能する。
また、地震等の影響で蓄電池１０に隣の蓄電池１０からの外力が作用した場合には、蓄電池１０を正立状態で置いた場合と同様に、その外力を蓄電池１０の左右側に位置するリブ３２、３３全体で受けることができる。このため、蓄電池１０の接合部１５への応力集中を避けることができ、接合部１５の剥がれやクラックの発生を回避できる。
【００２５】
ところで、制御弁式蓄電池１０を横置きで横並びに配置する場合には、蓄電池１０の前方への飛び出しを抑える飛び出し防止金具が必要になる。
図６は、蓄電池１０を飛び出し防止金具５１と共に周辺構成を示す側面図である。
ここで、図６中、符号４２は、蓄電池収納架台４０の一部を構成する前側の縦枠（以下、前縦枠という）であり、符号４３は、後側の縦枠である。この前後の縦枠４２、４３は、左右一対で設けられ、この前後左右の４本の縦枠４２、４３間に、蓄電池１０を載置する棚板４１が支持されている。また、この棚板４１を上下に多段で配置することによって、多列、多段で蓄電池１０が配置された大容量の据置型蓄電池が構成される。
【００２６】
本実施形態のリブ付きの制御弁式蓄電池１０を横置きで配置する場合、図６に示すように、飛び出し防止金具５１は、蓄電池１０の上下のリブ前端を抑えるように上下一対で設けられる。すなわち、飛び出し防止金具５１は、左右に延在する板形状を有し、棚板４１に横置きされた蓄電池１０から上下に突出する横リブ３３の前端を抑えるように、ボルト（締結部材）４５によって蓄電池収納架台４０の前縦枠４２に固定される。これによって、蓄電池１０の前側への飛び出しが規制されると共に、蓄電池１０の配置、飛び出し防止金具５１の取り付け等の蓄電池１０の配置に伴う各種作業を前面側から行うことができる。
この場合、上下一対の飛び出し防止金具５１は、蓄電池１０の蓋部１２の長辺に相当する間隔を空けて配置されるので、蓋部１２に設けられた端子１３Ａ、１３Ｂと飛び出し防止金具５１との間の離間距離ＬＡは、蓋部１２の側面から端子１３Ａ、１３Ｂまでの距離（図６中、符合ＬＡで示す距離）となる。
【００２７】
ここで、図７は、従来の制御弁式蓄電池飛び出し防止構造の参考例を示す図である。この図に示すように、従来の構成では、上下一対の飛び出し防止金具５によって制御弁式蓄電池１の蓋部２の上下を押さえるため、蓋部１２に設けられた端子１３Ａ、１３Ｂと飛び出し防止金具５との間の離間距離が、図７中、符合ＬＢで示す距離となる。すなわち、飛び出し防止金具５が蓋部２に重なる分だけ、離間距離ＬＢは、上記軸間距離ＬＡよりも狭くなる。
この種の蓋部の端子取り付け面は、蓄電池１０の構造上あまり広くないため、図７に示す従来構造の場合、端子１３Ａ、１３Ｂと飛び出し防止金具５との間の離間距離ＬＢを充分にとることができず、設置工事や保守点検の際に誤ってショートさせないように注意する必要が生じる。また、飛び出し防止金具５が蓋部２を電槽３の方向に押さえつけるため、その力が強すぎると、蓋部２と電槽３の接合部にダメージを与えてしまうおそれもある。
これに対し、本実施形態では、端子１３Ａ、１３Ｂと飛び出し防止金具５１との間の離間距離ＬＡを、従来の距離ＬＢよりも広くとることができるので、設置工事や保守点検を容易に行うことができ、また、飛び出し防止金具５１が蓋部１２を押さえないので、接合部１５へダメージを与えることもない。
【００２８】
以上説明したように、本実施形態の制御弁式蓄電池１０には、電槽１１の側面２２に蓋部１２より外側に突出し、自重を支えるに足る強度を有したリブ３１（縦リブ３２、横リブ３３）が設けられるので、この蓄電池１０の側面２２に作用する外力をリブ３１全体で受けて接合部１５への応力集中を避けることができ、接合部１５の剥がれやクラックの発生を回避でき、設置性が向上する。
しかも、上記リブ３１を、電槽１１の深さ方向に延びる縦リブ３２と、電槽１１の蓋部１２近傍で接合部１５に沿って延在する横リブ３３とで構成したので、側面２２に設けられるリブ３１の断面積を広く確保でき、蓄電池１０の自重を支えるに足る十分な強度を容易に得ることができる。この場合、縦リブ３２により電槽１１の深さ方向の強度を補強でき、横リブ３３により接合部１５への応力集中を避けると共に接合部１５を効率よく補強できる。
また、制御弁式蓄電池１０を横置きで配置した場合には、リブ３１を飛び出し防止金具５１で押さえて飛び出しを規制するようにしたので、端子１３Ａ、１３Ｂと飛び出し防止金具５１との間の離間距離ＬＡを広くとることができる。これによって、前面側から設置工事や保守点検を容易に行うことができ、また、飛び出し防止金具５１による接合部１５へのダメージを回避することができる。
【００２９】
＜第２実施形態＞
図８は、本発明の第２実施形態に係る制御弁式蓄電池を正立状態で示す斜視図である。第２実施形態では、制御弁式蓄電池１０の電槽１１に設けられる横リブ３３を更に延長し、ボルト４５（図６参照）を通す貫通孔３３Ｈを形成することによって、この横リブ３３を、電槽１１を蓄電池収納架台（架台）４０に取り付けるための取付用リブ３３Ｘに構成している。
この取付用リブ３３Ｘは、電槽１１を棚板４１に載置した場合に電槽１１の上下に位置する短辺側の側面２２Ａに一対ずつ設けられ、電槽１１の上面に沿って縦リブ３２よりも更に外側に突出する平板形状を有し、この平板形状の部分の略中央に上記貫通孔３３Ｈが形成される。なお、電槽１１を棚板４１に載置した場合に電槽１１の左右に位置する長辺側の側面２２Ｂには、上記第１実施形態と同様の横リブ３３が設けられる。
【００３０】
図９は、制御弁式蓄電池１０を横置きで蓄電池収納架台４０に配置した場合の側面図である。
この図に示すように、制御弁式蓄電池１０を横置き配置する場合は、この蓄電池１０に設けられた上下の取付用リブ３３Ｘを、ボルト４５によって蓄電池収納架台４０の棚板４１に直接固定することによって、蓄電池１０の飛び出しを規制する。
この場合、飛び出し防止金具を用いることなく、蓄電池１０を蓄電池収納架台４０に固定できるので、部品点数を低減することができる。しかも、端子１３Ａ、１３Ｂの周辺に飛び出し防止金具がないので、端子１３Ａ、１３Ｂ周辺の作業スペースを広く確保でき、設置工事や保守点検を容易にできる。また、飛び出し防止金具を用いないので、飛び出し防止金具による接合部１５へのダメージも回避できる。
【００３１】
このように、電槽１１の側面２２の蓋部１２近傍に該電槽１１を架台４０に固定するための架台取付用リブ３３Ｘを設けたので、飛び出し防止金具を用いることなく、蓄電池１０を蓄電池収納架台４０に固定することができる。
この場合、制御弁式蓄電池１０の下側に位置する縦リブ３２が、蓄電池１０の接合部１５を浮かした状態で支持する足部として機能するので、蓄電池１０の自重による接合部１５への応力集中を避けることができ、接合部１５の剥がれやクラックの発生を回避できる。
また、蓄電池１０の左右側面２２には、第１実施形態と同様のリブ３１が設けられるので、隣の蓄電池１０からの外力が作用した場合には、その外力を蓄電池１０の左右側に位置するリブ３１で受けることができ、接合部１５への応力集中を避けることができる。すなわち、本実施形態の蓄電池１０においても、第１実施形態と同様の各種効果を有する。
なお、この実施形態では、制御弁式蓄電池１０を横置き設置する場合を説明したが、正立状態で設置することも可能である。この場合、上記架台取付用リブ３３Ｘを架台４０に固定することにより、地震等で強い衝撃を受けた際に蓄電池１０が飛び上がらないようにすることができる。
【００３２】
上述した各実施形態は、あくまでも本発明の一態様を示すものであり、本発明の主旨を逸脱しない範囲で任意に変形及び応用が可能である。
例えば、上述の各実施形態では、横リブ３３を間隔を空けて設ける場合について説明したが、これに限らず、横リブ３３を接合部１５の全周に渡って設けるようにしてもよい。図１０は、横リブ３３を全周に渡って設けた例であり、図１１は、架台取付用リブ３３Ｘおよび横リブ３３を全周に渡って設けた例を示している。この構成では、横リブ３３（架台取付用リブ３３Ｘを含む）を接合部１５の全周に渡って設けるので、横リブ３３の断面積を広く確保でき、蓄電池１０の自重を支えるに足る十分な強度を有するリブを容易に設けることができ、かつ、接合部１５全体の強度をより向上することができる。
【符号の説明】
【００３３】
１、１０  制御弁式蓄電池
２、１１  電槽
３、１２  蓋部
４、４０  蓄電池収納架台（架台）
５、５１  飛び出し防止金具
１５  接合部
１４  制御弁
２１  電槽本体
２２、２２Ａ、２２Ｂ  側面
３１  リブ
３２  縦リブ
３３  横リブ
３３Ｘ  架台取付用リブ
４１  棚板
４５  ボルト
【図１】
2010277847.tif 000003
【図２】
2010277847.tif 000004
【図３】
2010277847.tif 000005
【図４】
2010277847.tif 000006
【図５】
2010277847.tif 000007
【図６】
2010277847.tif 000008
【図７】
2010277847.tif 000009
【図８】
2010277847.tif 000010
【図９】
2010277847.tif 000011
【図１０】
2010277847.tif 000012
【図１１】
2010277847.tif 000013
【図１２】
2010277847.tif 000014
【図１３】
2010277847.tif 000015